(57)【特許請求の範囲】
【請求項１】
シリコンやゴムなどの柔軟性、形状維持性及び防滑性を有する素材よりなり前面表面が擬似乳房形状にとなった保形部材と、
該保形部材裏面の胸当て面に設けられた空洞部と、
前記保形部材下部に垂下するように延設され任意のブラジャー装着時において保形部材を支える支持力を有するストッパーと、
前記保形部材の表面上下に任意姿勢に前記空洞部に浸入した水を排出する排出孔とよりなる胸部保形具。
【請求項２】
前記保形部材裏面側表面を覆いブラジャー内面に対して接触位置が開口状態となるように前記保形部材に装着固定可能なカバー体を具備するものであることを特徴とする請求項１記載の胸部保形具。
【発明の詳細な説明】
【技術分野】
【０００１】  本発明は、乳房切除術により少なくとも一方の乳房が切除された女性の整姿ならびに重量バランスの調整をする胸部保形具に関するものである。
【背景技術】
【０００２】  従来、乳腺症や乳癌等により乳房を切除された患者や生活者が整姿ならびに重量バランスの調整をとる胸部保形具として、シリコンで形成され外形を乳房に近似させ裏面に空洞部を有し吸着式に固定する人口乳房があった。（特許文献１）
また、空洞部をシリコンシートで閉塞した人口乳房があった。（特許文献２）
【先行技術文献】
【０００３】
【特許文献１】  特開平９−２９９３８８
【特許文献２】  特開平４−７９９４９
【発明の概要】
【発明が解決しようとする課題】
【０００４】  そのために、次のような問題があった。
吸着式に固定する人口乳房においては、吸引の負荷の掛け方により外形が均一とならず、常時均一な形状が維持できなかった。
また、日常生活における様々な動作において、どうしても肌と人口乳房の間に隙間が生じる。これにより、吸着は解かれ、それ以降再度吸着操作をするまで位置が安定せず移動し、容姿、装着感及び重量バランスがそれぞれ崩れる状態となっていた。この状態において、周囲に人がいる状態での操作は困難で、羞恥心を引き起こす要因となっていた。【０００５】  空洞部をシリコンシートで閉塞した人口乳房において、肌密着面が多く多少の動きで発汗し、あせもや肌荒れなどの要因となり肌を痛めることが多々あった。
また、日常の動作においてずれることもあり、この場合その密着性からもとの位置に戻らず、前記課題と同様に位置を戻すための操作が人前でできない状態となっていた。【０００６】  前記各課題のほかに、共通する課題として水泳時の問題があった。つまり、水泳時において水着はボディラインを如実に見せるため切除部への胸部保形具や人口乳房の使用は不可欠となっている。この際、水泳の激しい運動により、どうしても保形具と肌の間に隙間が生じ、この隙間から水が空洞部に流入する。流入した状態で水泳動作をやめプールを出ると水が内部に溜まる。そのため水泳時には水が保形具にせき止められ内部に集中して溜まり、水泳に支障をきたしていた。
また、水泳終了時においては、保形具内に水が溜まり重量が増加するために、下方へのずれが常に発生する状態となっていた。この水排出に関しては、プール内での排出は不可能で、より周囲の視線にあたるプール外で行わなければいけなかった。
本発明は以上の欠点を解決するものである。
【課題を解決するための手段】
【０００７】  シリコンやゴムなどの柔軟性及び防滑性を有する素材で擬似乳房形状となった保形部材を形成する。保形部材の裏面は空洞部となっている。前記保形部材の下部には垂下状態に平板状のストッパーが延設されている。該ストッパーはブラジャー装着時において、ブラジャーカップ下のワイヤー並びにカップ下ベルト体により押さえつけられることにより位置を維持する支持力を得るものである。【０００８】  前記保形部材の表面に任意姿勢において前記空洞部に浸入した水を排出する複数の排出孔を設けることを特徴とする。【０００９】  前記保形部材裏面側表面を覆いブラジャー内面に対して接触位置が開口状態となるように前記保形部材に装着固定可能なカバー体を具備するものであることを特徴とする。【００１０】  前記カバー体に任意のブラジャー装着時において前記保形部材を適正位置となるように任意のブラジャーに着脱可能に固定する固定手段を備えたことを特徴とする。
【発明の効果】
【００１１】  本発明は、シリコンやゴムなどの柔軟性及び防滑性を有する素材で裏面に空洞部を有し、擬似乳房形状となった保形部材が形成され、前記保形部材の下部には垂下状態に平板状のストッパーが延設されている。
これをブラジャーカップ内側に位置させ装着することで、胸部保形具全体はブラジャーにより体側に押し付けられるとともにブラジャーカップの形状により左右上下方向に一定の位置固定力が得られる。ここで、本発明は防滑素材よりなるため、よりその維持力は向上するが、全体重量により下方への負担は増える。この下方負担に耐え維持するために平板状のストッパーが作用し下方へのずれを抑止する。
あわせて、ストッパーが肌とブラジャーのワイヤー及び下部押さえ体により挟み込まれかつ押さえつけられることにより、胸部保形具は下位置が他の位置よりも強固に固定される。これにより日常の各種動作においてその動作、体勢に応じて保形部材は動きやすいように変形し、静止状態においては所定位置および所定形状に戻る。これにより装着感を維持しつつ、女性本来の乳房付近容姿を違和感のない状態で再現することができる。【００１２】  前記保形部材の表面に任意姿勢において前記空洞部に浸入した水を排出する複数の排出孔を設けることにより、水泳時においては保形具内に水が溜まりにくくなり水泳の支障を大幅に軽減する。
また、水泳後プールを出た場合においても、保形具内の水が排出されるため水による重量増加を回避し、水泳後のずれが極めて発生しにくいものとなる。
あわせて、排出孔は空洞部内の温度、圧力、湿度などを調整する通気孔としての役割も果たす。これにより、装着におけるムレやこれにともなうかぶれを防ぐことができる。【００１３】  前記保形部材裏面側表面を装着固定可能に覆うカバー体を備えることにより、防滑性のある保形部材が直接肌に接触することを防ぐので、あせもやかぶれ等の肌被害を回避することができる。あわせて、運動時や夏の酷暑での装着時に爽快感を得ることができる。
また、ブラジャー内面に対して保形部材の接触位置が開口状態となるようにしたことで、前記保形部材の防滑性により激しい運動はもちろん、日常の動作においてもブラジャーのずれを防ぐことができる。【００１４】  ブラジャー装着時において前記保形部材を適正位置となるように任意のブラジャーに着脱可能に固定する固定手段を設けることで、保形部材をブラジャーの動きに合わせて固定することができるため、各種動作や運動において保形部材を適正位置となるように維持することができる。【００１５】  前記、各カバー体を利用することにより、カバー体のみを洗濯可能となる。これにより、簡単に洗濯ができ菌の繁殖を防ぐことができるため、衛生的に使用することができる。
あわせて、汗などの臭いを簡単に取り除くことができるとともに、乾燥させた状態で装着可能となるので、爽快な使用感を維持することができる。
【図面の簡単な説明】
【００１６】
【図１】本発明の正面図
【図２】本発明の平面図
【図３】本発明の背面図
【図４】本発明の底面図
【図５】本発明の右側面図
【図６】本発明の使用状態を示す端面図
【図７】本発明の使用状態図
【図８】本発明の作用状態を示す平面端面図
【図９】本発明の第２実施形態の斜視図
【図１０】本発明の第２実施形態の使用説明図
【図１１】本発明の第３実施形態の分解斜視図
【図１２】本発明の第３実施形態の使用説明図
【図１３】本発明の第３実施形態の使用状態図
【図１４】本発明の第４実施形態の斜視図
【発明を実施するための最良の形態】
【００１７】  以下、本発明の第１実施の形態について図１から図８を用いて説明する。
図１は本発明の正面図、図２は本発明の平面図、図３は本発明の背面図、図４は本発明の底面図、図５は本発明の右側面図、図６は本発明の使用状態を示す端面図、図７は本発明の使用状態図、図８は本発明の作用状態を示す平面端面図である。
本発明のおける胸部保形具は、図１から図５に示すように空洞部３を有する保形部材１と、保形部材１の下部に延設された板状のストッパー２から構成される。
保形部材１及びストッパー２はシリコンや合成ゴム等の柔軟性、形状維持性及び防滑性を有する素材により一体成型されたものである。好ましくは、肌への支障が少ないシリコンを利用する。あわせて、菌の繁殖を防ぐために抗菌加工したものとすることも望ましい。
保形部材１は、前面表面が擬似乳房形状となっている。この際、乳首形状の有無は問わないものとする。
保形部材１の肌接触面側の内側は空洞部３となっている。この空洞部３は保形部材１との兼ね合いで、適度な変形性、保形性を実現するための保形部材１の肉厚を実現するものである。あわせて、全体重量が日常生活時において切除されていない他方の乳房７と同等の負荷となるものであることが望ましい。
ストッパー２は、保形部材１の下部に垂下するように、略平板状に延設されたものである。ここでストッパー２は、保形部材１の下部形状に沿って少なくとも任意のブラジャーの下部押さえた帯５で均等に押さえ込まれる形状、大きさであることが望ましい。
本発明は以上の構成よりなる。【００１８】  以下、本発明の胸部保形具の使用方法について説明する。
本発明を使用するときは、図６乃至図７に示すように乳房切除部に切除前乳房を再現する位置となるようにあてる。そして、ブラジャーを装着し胸部保形具を固定する。
この際、ブラジャーカップ４のワイヤー６を保形部材１の下でありストッパー２との境界位置となるようにブラジャーを装着する。これにより、ブラジャーカップ４下のブラジャーの下部押さえ帯５がストッパー２の上面に位置し、装着肌部と下部押さえ帯５によりストッパー２を押さえ込み、胸部保形具の下ずれを抑止するとともに図７に示すように保形部材１の下部の左右へのずれを抑止する。
この状態で日常動作を行う場合、保形部材１は下部では押さえられるが、それ以外の上部、左右部は動作やブラジャーカップ４の形状及び動きに応じて図６及び図８に示すように変形可動し、使用感、変形性、保形性を維持しつつ自由度がある動きをする。これにより、第三者に対して乳房切除の違和感がない容姿を得られるとともに、重量バランスの統制をとることができる。【００１９】  以下、本発明の第２実施の形態について図９から図１０を用いて説明する。
図９は本発明の第２実施形態の斜視図、図１０は本発明の第２実施形態の使用説明図である。
本実施形態の発明は、前記実施の形態の構成に水排出用の孔２１を上下に設けたものである。
この孔２１は乳房切除面の胸部保形具あて位置に対する略中心部付近もしくは乳首位置の上下に貫通したものである。孔２１の口径及び間隔は、使用状態における変形性、保形性を維持しつつ排水できるものである。
更には、孔２１は水泳時に泳ぐ方向性にあわせて水が保形具１への負荷を減少させるように流れる配置されるものであることが望ましい。
本発明は以上の構成よりなる。【００２０】  これを使用するときは、前記使用例と同様に使用するとともに、水着のカップ位置に合わせるとともに、水着のカップ下位置の胴押さえシート部がストッパー２を押さえ込む位置として装着する。
この状態において水泳することで、水泳動作時においては泳ぐ方向に対して対流、流動するとともに、呼吸などによる胸部の前後動作に対しては前面もしくは水泳移動による前面下方への排出を容易とする。これにより、違和感の無い水泳はもちろん、時間を競う水泳競技においても乳房切除による差別感を排除もしくは軽減することができる。
また、水泳後プールを出た場合においても、図１０に示すように、保形具内の水が排出されるため、水による重量増加を回避しかつ水泳後のずれが極めて発生しにくいものとなる。また、孔２１の数や形状においてはこれに限定されるものではなく、少なくとも排出に必要なものであってもよい。数を少なくすることで、保形性は向上させる。
あわせて、排出孔は空洞部内の温度、圧力、湿度などを調整する通気孔としての役割も果たす。これにより、装着におけるムレやこれにともなうかぶれを防ぐことができる。【００２１】  以下、本発明の第３実施の形態について図１１から図１３を用いて説明する。
図１１は本発明の第３実施形態の分解斜視図、図１２は本発明の第３実施形態の使用説明図、図１３は本発明の第３実施形態の使用状態図である。
本実施形態における発明は、前記各実施形態に説明された胸部保形具の使用性を向上させるカバー体８を利用するものである。
カバー体８は前記胸部保形具と共に利用するものである。
図１１に示すように、カバー体８は保形部材１の裏面を覆う底あて部９と、底あて部９の上部に設けられ保形部材１の上部形状に近似し、保形部材１の上部を挿入固定可能な上収納部１０を設けたものである。
あわせて、底あて部９の下部にはストッパー２を収納するストッパー収納部１４が設けられている。
更には、カバー体８に対して保形部材１が左右方向へのずれを防止するように、装着時において保形部材１の表面形状にあわせて左右周辺端部を収納するための側面カバー１３が設けられている。
これら底あて部９、上収納部１０、ストッパー収納部１４、側面カバー１３はメッシュ地で吸汗性のある生地よりなることが望ましいが、少なくとも底あて部９が吸汗性のあるものであればよい。但し、カバー体８は全体が洗濯可能であることが望ましい。
また、上収納部１０の表面にはベルト１１が設けられている。このベルト１１は一端部において縫着等により固着され、他端にはスナップ１２が設けられている。このスナップ１２は、上収納部１０の表面に着脱可能なスナップ受けが設けられている。
ベルト１１は、伸縮性のないものであってもよいし、任意動作における伸張やねじれに対応する伸縮性を有するものであってもよい。
また、図示においてはスナップを利用しているが、面ファスナーを利用することで長さ調整可能となる。
本発明は以上の構成よりなる。【００２２】  これを使用するときは、図１２に示すように保形部材１の上部を上収納部１０に挿入し、ストッパー２をストッパー収納部１４に収納する。あわせて、左右の側面カバー１３を保形部材１の側面を覆うように装着する。これを図１３に示すように前記各実施形態と同様に装着し、ベルトをブラジャーの肩紐にかけてベルト開放端を固定する。
カバー体を利用することにより、装着面に発生しやすい汗を吸収する。これにより、運動時や夏の酷暑での装着時に爽快感を得ることができる。あわせて、あせもやかぶれ等の肌被害を回避することができる。【００２３】  本カバー体８は前面が開口状態となっていることで、保形部材１収納時に保形部材１の前面が露出し、使用時にブラジャーカップ内側と接触する。保形部材１は防滑性があるため、運動や各種動作時においてブラジャーカップからずれにくくなる。【００２４】  また、前記保形部材を適正位置となるように任意のブラジャーの肩紐に着脱可能に吊持するベルトを設けることで、前記保形具にベルトを設けた場合と同様の作用効果を得ることができる。【００２５】  以下、本発明の第４実施の形態について図１４を用いて説明する。
図１４は本発明の第４実施形態の斜視図である。
本実施形態は、第３実施形態のカバー体の変形例である。
図１４に示すようにカバー体８はストッパー２を有する保形部材１全体を収納可能な形状となっている。素材は適度な伸縮性を有するものであり、これにより保形部材１に装着した際に、保形部材１にフィットした状態となる。
カバー体８の前面でありバストトップに当たる位置に開口部１７が設けられている。開口部１７には保形部材１の脱落を防ぐために開口周縁部１８が設けられている。開口周縁部１８は、伸縮性のないものあるいは保形部材１の脱落を防止するとともに収納された保形部材１を適正な位置に抑える役目を果たすものである。
カバー体８の下部はストッパー収納部１４が一体に設けられている。ストッパー収納部１４の上部には保形部材１を挿入するための挿入口１６が設けられている。
また、カバー部材１の上部にはスナップ雄１９が設けられている。また、図示していないが該スナップ雄１９に着脱するスナップ受けが具備される。
以上の構成よりなる。【００２６】  これを使用するときは、挿入口１６を広げ、保形部材１を上部から挿入しバストトップ部が前記開口部１７の位置にくるようにし、ストッパー２をストッパー収納部１４に装着する。そして、保形部材１とカバー体８がフィットする位置に調整する。
ブラジャーカップ内側の上部には、あらかじめスナップ受け（図示せず）を縫合などにより固定しておく。保形部材１を収納したカバー体８をブラジャーカップ内側あて、スナップ受けにスナップ雄１９を固定し、あとは前記各実施形態と同様に装着する。
本実施例においては、第３実施形態と同様の効果があげられるが、保形部材１とカバー体８がよりフィットし、脱落することなく安定した使用を実現する。あわせて、前記第３実施形態と同様の効果を得ることができる。
【符号の説明】
【００２７】１  保形部材、
２  ストッパー、
３  空洞部、
４  ブラジャーカップ、
５  下部押さえ帯、
６  ワイヤー、
７  乳房、
８  カバー体、
９  底あて部、
１０  上収納部、
１１  ベルト、
１２  スナップ、
１３  側面カバー、
１４  ストッパー収納部、
１５  肩紐、
１６  挿入口、
１７  開口部、
１８  開口周縁部、
１９  スナップ雄
２１  孔、
２２  水
【図１】
0004482770.tif 000002
【図２】
0004482770.tif 000003
【図３】
0004482770.tif 000004
【図４】
0004482770.tif 000005
【図５】
0004482770.tif 000006
【図６】
0004482770.tif 000007
【図７】
0004482770.tif 000008
【図８】
0004482770.tif 000009
【図９】
0004482770.tif 000010
【図１０】
0004482770.tif 000011
【図１１】
0004482770.tif 000012
【図１２】
0004482770.tif 000013
【図１３】
0004482770.tif 000014
【図１４】
0004482770.tif 000015